(57)【要約】【課題】ノートの空欄を詰めて記載でき、また、記入内容に応じて自由な大きさのレイアウト枠を形成することができるノートセットを提供する。【解決手段】同じ大きさに形成され、マトリックス状に配置された複数の記入欄５を備えた複数のシート２と、シート２の１つの記入欄５を覆う大きさまたは隣接する複数の記入欄５を覆う大きさにそれぞれ形成され、表面に筆記具による記入を行うことができ、裏面の全面に貼着面が形成されたラベル６と、ラベル６を収納するラベル収納部４とを備えノートの空欄を詰めて記載でき、また、記入内容に応じて自由な大きさのレイアウト枠を形成することができる。【選択図】  図１
2005028765.tif 000002
【特許請求の範囲】
【請求項１】
同じ大きさに形成され、マトリックス状に配置された複数の記入欄を備えた複数のシートと、
前記シートの１つの前記記入欄を覆う大きさまたは隣接する複数の前記記入欄を覆う大きさにそれぞれ形成され、表面に筆記具による記入を行うことができ、裏面の全面に貼着面が形成されたラベルと、
前記ラベルを収納するラベル収納部とを備えていることを特徴とするノートセット。
【請求項２】
前記シートの前記記入欄には、書籍名記入部、読書者記入部および確認者記入部を有する読書確認部が印刷されていることを特徴とする請求項１に記載のノートセット。
【請求項３】
前記シートの前記記入欄には、複数の罫線が記載された文章記入欄が形成されていることを特徴とする請求項１または２に記載のノートセット。
【請求項４】
前記ラベルには、書籍名記入部、読書者記入部および確認者記入部を有する読書確認ラベルと、複数行の罫線を有する感想文記入ラベルとが含まれていることを特徴とする請求項１から３のいずれかの項に記載のノートセット。
【請求項５】
前記ラベルには、日付記入部および複数行の罫線を有する日記ラベルが含まれていることを特徴とする請求項１から４のいずれかの項に記載のノートセット。
【請求項６】
前記ラベルには、前記外枠の内側が空白に形成されている自由記入ラベルが含まれていることを特徴とする請求項１から５のいずれかの項に記載のノートセット。
【請求項７】
前記ラベルの表面には、外枠が記載されていることを特徴とする請求項１から６のいずれかの項に記載のノートセット。
【発明の詳細な説明】
【技術分野】
【０００１】
本発明は、例えば、読書ノートまたは日記帳として用いられるノートセットに関する。
【背景技術】
【０００２】
従来、読書ノートや日記帳は、所定位置に所定事項を記載するように各欄が印刷された複数のシートを綴って形成されている。例えば、読書ノートは、本の題名、日付、感想文記入欄が１ページまたは見開きの２ページに配置されたものがある。また、日記帳は、日付記入部と、複数行の罫線が記入されているものがあり、これに絵を描くための空欄を形成した絵日記帳もある。また、アイディアを自由に書き留めておけるように、罫線等の印刷がされていない空白のノートも市販されている。
【０００３】
また、例えば、日付記入欄と、枠で囲まれた複数の記載欄および備考欄とを同一頁に配置した暗記用ノートも開発されている（例えば、特許文献１参照。）
【０００４】
【特許文献１】特開平１１−７８３００号公報  （第２−５頁、第２図）
【発明の開示】
【発明が解決しようとする課題】
【０００５】
しかしながら、特許文献１に記載された暗記用ノートや従来の読書ノート等は、各欄に記載するべき事項が決まっているため、記載する内容が少ない場合には、空欄が残ることになり、スペースの無駄が生じる。
【０００６】
例えば、学校や学習塾等において、読書ノートを管理する場合、定期的に複写機を用いて所定ページを複写し、個人ファイルを作成することがある。この場合に、読書ノートに空欄が多いと、読書ノートの使用量が無駄に多くなるとともに、不要なコピー用紙が必要となり、また、保管量も多くなる。また、日記等のように毎日記入するような用途の場合は、空欄が多くなると、連続して記入しようとする意欲を阻害する。
【０００７】
また、罫線が記入されたノートに、罫線を無視して文字や絵を記入することとすると、これをコピーして保存しようとした場合には、罫線が絵と重なってしまい見栄えが悪くなる。逆に罫線がないノートに文字を記入しようとすると、文字列をまっすぐ記入することが困難で、やはり見栄えが悪くなる。
【０００８】
そこで本発明が解決しようとする課題は、ノートの空欄を詰めて記載でき、また、記入内容に応じて自由な大きさのレイアウト枠を形成することができるノートセットを提供することにある。
【課題を解決するための手段】
【０００９】
前記課題を解決するため、本発明のノートセットは、同じ大きさに形成され、マトリックス状に配置された複数の記入欄を備えた複数のシートと、前記シートの１つの前記記入欄を覆う大きさまたは隣接する複数の前記記入欄を覆う大きさにそれぞれ形成され、表面に筆記具による記入を行うことができ、裏面の全面に貼着面が形成されたラベルと、前記ラベルを収納するラベル収納部とを備えている。
【００１０】
シートの各記入欄は、罫線、模様、または着色した枠線等により仕切られている。記入欄は、ラベルを貼着して固定することができる材質で形成されている。記入欄には、直接文字等を記入することができなくてもよいが、記入できる材質で形成してもよい。
【００１１】
１つの記入欄を覆う大きさとは、通常、ラベルの縦および横の長さが記入欄の縦および横の長さより長いことをいうが、本発明においては、ラベルの縦および横の長さが、記入欄の縦および横の長さに対してそれぞれ±１０％以内の範囲となる場合まで含むものとする。
【００１２】
従って、記入欄の全体がラベル全体で隠されてもよく、また、記入欄の内側にラベル全体が貼着されてもよい。また、複数の記入欄を覆う大きさという場合は、ラベルの縦および横の長さが、複数の記入欄を覆う一つの矩形の縦および横の長さに対してそれぞれ±１０％以内となる範囲をいうものとする。
【００１３】
ラベルの表面には、文字や図形、絵等を記入することができる。ラベルへの文字等の記入は、シートに貼着する前に行うことができ、また、シートに貼着した後に行うこともできる。
【００１４】
ラベルは、複数種類の大きさに形成されており、書き込みを行う者は、記入する内容の長さに応じてラベルを選択し、内容を記入する。内容を記入したラベルは、シートに貼着されているラベルに隣接する記入欄に貼着する。記入する内容が１つの記入欄に記載できる分量より多い場合は、２以上の記入欄の大きさに合わせて形成したラベルを選択することができる。記入した内容は、ラベルごとに、シート上に分離して配置される。
【００１５】
ラベル収納部は、例えば、表紙や裏表紙の裏側に形成した袋体により形成することができる。また、ラベルを貼着した台紙をシートと共に重ねて配置したときに、この台紙をラベル収納部とすることができる。さらに、この台紙を表紙や裏表紙の裏側に貼着した場合もラベル収納部に含まれる。
【００１６】
２以上の記入欄の大きさに合わせて記入されたラベルは、各記入欄を仕切る罫線等をまたいで貼着される。この場合でも、各ラベルの大きさは２以上の記入欄の大きさに合わせて形成されているので、貼着したラベルから記入欄が大きくはみ出したりすることはない。各記入項目は、各ラベルごとにまとまって記載され、各ラベルの間は、シートに予め記入されている罫線等によって分割される。
【００１７】
ラベルは裏面の全面を貼着されるので、簡単に剥がれることがなく、付箋紙のように剥離して紛失してしまうことがない。
【００１８】
前記シートの前記記入欄に、書籍名記入部、読書者記入部および確認者記入部を有する読書確認部を印刷すると、読書ノートとして使用することができ、また、ラベルを貼着することにより、文章や絵等を自由に挿入することができる。
【００１９】
前記シートの前記記入欄に、複数の罫線が記載された文章記入欄を形成すると、雑記帳として用いることができ、また、ラベルを貼着することにより、日記帳や絵日記帳または読書ノートとして使用することができる。
【００２０】
前記ラベルに、書籍名記入部、読書者記入部および確認者記入部を有する読書確認ラベルと、複数行の罫線を有する感想文記入ラベルとを含めると、ノートセットを、読書ノートとして用いることができる。
【００２１】
読書確認ラベルは、１種類の大きさに形成しておくことが好ましく、感想文記入ラベルは、複数の大きさに形成しておくことが好ましい。感想文の長さに応じて、感想文記入ラベルを選択することができるので、シートに無駄な空白が生じることがない。
【００２２】
前記ラベルに、日付記入部および複数行の罫線を有する日記ラベルを含めると、ノートセットを日記帳として用いることができる。日記の記入量に応じて日記ラベルを選択することができるので、シートに無駄な空白が生じることがない。
【００２３】
前記ラベルに、空白部を有する自由記入ラベルを含めると、例えば、絵日記用の絵を記入したり、簡単な文章等を記入したりすることができる。
【００２４】
前記ラベルの表面に、外枠を記載すると、ラベルを貼着したシートを複写機を用いて複写したときに、ラベルとシートの境目が明瞭になる。
【発明の効果】
【００２５】
本発明によれば次の効果を奏する。
（１）本発明のノートセットは、シートの１つの記入欄を覆う大きさまたは隣接する複数の記入欄を覆う大きさにそれぞれ形成されたラベルを備えているので、記入する内容の長さに応じてラベルを選択して内容を記入し、内容を記入したラベルを、シートに貼着されているラベルに隣接する記入欄に貼着すると、ノートの空欄を詰めて記載でき、また、記入内容に応じて自由な大きさのレイアウト枠を形成することができる。また、記入した内容は、各ラベルごとに、シート上に分離して配置されるので、非常に見やすくなる。
（２）ラベルに、書籍名記入部、読書者記入部および確認者記入部を有する読書確認ラベルと、複数行の罫線を有する感想文記入ラベルとを含めると、ノートセットを、読書ノートとして用いることができ、感想文の長さに合わせてラベルを使用するので、シートに無駄な空白が生じることがなくなる。
（３）ラベルに、日付記入部および複数行の罫線を有する日記ラベルを含めると、ノートセットを日記帳として用いることができる。日記の記入量に応じて日記ラベルを選択することができるので、シートに無駄な空白が生じることがなくなる。
（４）ラベルに、空白部を有する自由記入ラベルを含めると、例えば、絵日記用の絵を記入したり、簡単な文章等を記入したりすることができ、レイアウトの自由度が向上する。
（５）ラベルの表面に、外枠を記載すると、ラベルを貼着したシートを複写機を用いて複写したときに、ラベルとシートの境目が明瞭になる。
【発明を実施するための最良の形態】
【００２６】
以下、本発明の実施の形態について説明する。
（第１の実施の形態）
図１は本発明の第１の実施の形態のノートセットの使用状態を示す平面図、図２は、ラベルおよびラベル収納部を示す平面図である。図１、図２に示すように、本発明のノートセット１は、複数枚重ねられたシート２と、シート２に貼着されるラベルと、ラベルを収納するラベル収納部４とを有している。
【００２７】
シート２は、同じ大きさに形成された横長矩形の記入欄５を、横２列、縦６段のマトリックス状に配置している。各記入欄５の内側は何も記入されておらず、各記入欄５の外側も何も記入されていない。シート２は、複数枚を重ねて一辺を接合して１冊のノートを形成している。ノートの一番表側には表紙が設けられ、一番裏側には裏表紙が設けられている。
【００２８】
シート２の左列の最上段の記入欄５には、読書確認ラベル６が貼着され、また、何も印刷されていない空白部を全面に有する自由記入ラベル１４が、左列の上から２段目と３段目にまたがって貼着されている。
【００２９】
なお、シート２の四辺に沿った余白には何も貼着されないので、この部分には、用途に応じた文章やイラスト等を記入することができる。
【００３０】
読書確認ラベル６は、上段と下段とを分割ライン７によって二分割され、上段には、本の題名を記入する書籍名記入部１０が形成されている。書籍名記入部１０の上部中央には、「本のだいめい」の文字が印刷されている。
【００３１】
読書確認ラベル６の下段の左右両側には、矩形枠に囲まれた読書者記入部８と、確認者記入部９とがそれぞれ配置されている。読書者記入部８には「よみました」の文字が、確認者記入部９には「ききました」の文字がそれぞれ印刷されている。
【００３２】
読書確認ラベル６の下段の中央左側には、読書範囲記載部１１が設けられている。読書範囲記載部１１は、最上段に「よみきかせ」の文字が印刷され、中段と下段には、読書開始頁と読書終了頁を記載する欄がそれぞれ設けられている。読書範囲記載部１１の「よみきかせ」の文字の直下側には、日付記入部１２が配置されている。読書確認ラベル６の下段の中央右側には、イラスト記入欄１３が形成されている。図中の丸付き文字「絵」と記載した部分には、任意の絵や模様を記入することができる。
【００３３】
読書確認ラベル６の裏面は、全面に接着剤が塗布されており、読書確認ラベル６の使用前には台紙に剥離可能に貼着されている。
【００３４】
読書確認ラベル６は、シート２の記入欄５と略同じ大きさに形成されている。また、自由記入ラベル１４は、シート２の２つの記入欄５と、その間の記入欄を分離している部分を覆って貼着されている。
【００３５】
図２に示すように、ラベル収納部４は、表紙１５の裏面に貼着されている。ラベル収納部４は、複数の読書確認ラベル６を剥離可能に貼着した台紙により形成されている。なお、図１に示す自由記入ラベル１４は、別の台紙に貼着されており、ラベル収納部４の裏側や、ノートの裏表紙や、複数のシート２の途中位置に重ねて配置されている。
【００３６】
図３は、感想文記入ラベルを示す平面図である。図３に示すように、感想文記入ラベル１６，２０，２１，２４，２６は、同じ台紙に貼着されている。感想文記入ラベル１６，２０，２１，２４，２６を貼着した台紙は、図１に示すシート２に重ねて設けられている。なお、感想文記入ラベル１６，２０，２１，２４，２６は、大きさに合わせてそれぞれ異なる台紙に貼着することも可能である。
感想文記入ラベル１６は、１つの記入欄５を覆う大きさに形成され、最上段に宛名記入部１７、最下段に差出人記入部１８および日付記入部１９を有し中間部分を空白にして形成されている。
【００３７】
感想文記入ラベル２０は、２段の記入欄５を覆う大きさに形成され、その他の部分の構成は、感想文記入ラベル１６と同じにしている。
【００３８】
感想文記入ラベル２１は、３段の記入欄５を覆う大きさに形成され、最上段に小見出し記入部２２を形成し、その下に宛名記入部２３を形成している。最下段の差出人記入部１８および日付記入部１９は、感想文記入ラベル１６，１７と同じに形成され、また、中間部分を空白にして形成されている。
【００３９】
感想文記入ラベル１６，２０，２１は、例えば、小学校低学年の生徒用で、空白に形成した中間部分には、文字以外に絵を記入することもできる。また、宛名および差出人を記入することにより、生徒が特定の人に本の内容を伝えることを想像しながら記入することができるので、文章が苦手な子供でも自分の考えを表しやすくなる。
【００４０】
感想文記入ラベル２４は、感想文記入ラベル２１の中間部に複数の罫線２５を横方向に形成したものである。子供の学年が上がると、このような幅が狭い罫線でも使用することができる。
【００４１】
感想文記入ラベル２６は、感想文記入ラベル２４の中間部に複数の罫線２７を縦方向に形成したものである。罫線２５，２７によって正方形の升目が多数形成されるので、文字の大きさを揃えて記入することができる。
【００４２】
図４は、日記ラベルおよび自由記入ラベルの平面図である。図４に示すように、日記ラベル２８〜３０および自由記入ラベル３１〜３３は同じ台紙に貼着されている。日記ラベル２８〜３０および自由記入ラベル３１〜３３を貼着した台紙は、図１に示す複数のシート２に重ねて配置され、綴じられている。
【００４３】
日記ラベル２８は、１つの記入欄５を覆う大きさに形成され、最上段に日付記入部３４を有している。また、日付記入部３４の下側には、罫線が形成されている。
【００４４】
日記ラベル２９は上下２段の記入欄５を覆う大きさに形成され、日記ラベル３０は上下３段の記入欄５を覆う大きさに形成されている。また、日記ラベル３０ａは、上下３段、横に２列の記入欄５を覆う大きさに形成されている。
日記ラベル２９，３０，３０ａは、日記ラベル２８と同じ日付記入部３４を最上段に有し、その下側に罫線３５を形成している。記入する日記の量に応じて、大きさが異なる日記ラベル２８〜３０を選択して使用することができる。
【００４５】
自由記入ラベル３１は、１つの記入欄５を覆う大きさに形成され、外周に沿って印刷された矩形の外枠３５を有している。自由記入ラベル３２は、２つの記入欄５を覆う大きさに形成され、自由記入ラベル３３は、３つの記入欄５を覆う大きさに形成されている。また、自由記入ラベル３３ａは、上下３段、横に２列の記入欄５を覆う大きさに形成されている。自由記入ラベル３２，３３，３３ａは、外枠３６，３７，３７ａをそれぞれ有している。外枠３５〜３７を形成すると、シートに貼着したときに、シートと自由記入ラベルとの区切りが明確になり、特に、複写機を用いて複写したときに明確になる。また、自由記入ラベル３１〜３３、３３ａの右上角部には、日付記入部３４がそれぞれ形成されている。
【００４６】
次に、ノートセット１の使用手順について説明する。図１に示すように、シート２を読書ノートとして用いる場合には、読書確認ラベル６を貼る。そして、本の題名と、日付と、読んだ頁数と、読んだ回数とを記載する。そして、読書者記入部８に本を読んだ子供の名前を記入させ、確認者記入部９に例えば、保護者の名前を記入する。
【００４７】
次いで、自由記入ラベル１４を、読書確認ラベル６の下側の２つの隣接する記入欄５を覆うように貼着する。この自由記入ラベル１４には、本の感想文や感想画等を記入することができる。
【００４８】
次にラベルを貼るときには、自由記入ラベル１４の下側の記入欄５を覆うように貼ることにより、ノートを隙間無く使用することができる。
【００４９】
また、自由記入ラベル１４に代えて、感想文記入ラベル１６，２０，２１，２４，２６をそれぞれ使用することが可能である。
【００５０】
学校や育児教室等で、読書の管理を行う場合、記入して頁が埋まった後、頁ごとに複写機でコピーを取り、これを個人データとして管理することができる。
【００５１】
シート２を日記帳として用いる場合には、日記ラベル２８〜３０を使用する。また、絵日記として用いる場合には、自由記入ラベル１４または自由記入ラベル３１〜３３とともに使用する。このように、記入する文字や絵の量に合わせてラベルを自由に選択することができるので、シート２の空欄がなくなる。
【００５２】
（第２の実施の形態）
図５は、第２の実施の形態のノートセットのシートを示す平面図である。図５に示すように第２の実施の形態のノートセットのシート３８は、シート３８の記入欄３９に、書籍名記入部４０、読書者記入部４１および確認者記入部４２を有する読書確認部４３を印刷したものである。
【００５３】
記入欄３９の大きさは、第１の実施の形態の記入欄５と同じ大きさ、かつ読書確認ラベル６と同じ大きさに形成されている。また、書籍名記入部４０、読書者記入部４１および確認者記入部４２の大きさおよび配置は、読書確認ラベル６の書籍名記入部１０、読書者記入部８および確認者記入部９と同じになっている。
【００５４】
記入欄３９には、第１の実施の形態で使用した自由記入ラベル１６，３１〜３３や感想文記入ラベル１６，２０，２１，２４，２６を貼着することができる。
【００５５】
第２の実施の形態のノートセットは、読書ノートとして使用することができ、また、自由記入ラベル１６，３１〜３３や感想文記入ラベル１６，２０，２１，２４，２６を貼着することにより、文章や絵等を自由に挿入することができる。
【００５６】
なお、記入欄３９への誤記等が発生した場合には、第１の実施の形態で使用した読書確認ラベル６を、誤記が生じた記入欄３９に貼着することも可能である。
【００５７】
（第３の実施の形態）
図６は、第３の実施の形態のノートセットのシートを示す平面図である。図６に示すように第３の実施の形態のノートセットのシート４４は、シート４４の記入欄４５に、複数の罫線４５ａを印刷したものである。
【００５８】
記入欄４５の大きさは、第１の実施の形態の記入欄５と同じ大きさ、かつ感想文記入ラベル１６と同じ大きさに形成されている。
【００５９】
記入欄４５には、第１の実施の形態で使用した読書確認ラベル６、自由記入ラベル１６，３１〜３３、感想文記入ラベル１６，２０，２１，２４，２６、日記ラベル２８〜３０等を貼着することができる。
【００６０】
第３の実施の形態のノートセットは、雑記帳として用いることができ、また、読書確認ラベル６、自由記入ラベル１６，３１〜３３、感想文記入ラベル１６，２０，２１，２４，２６、日記ラベル２８〜３０等を貼着することにより読書ノートや日記帳として用いることができる。
【００６１】
本発明には、他の形状のラベルを用いることができる。図７、図８は、他の実施の形態のノートセットのシートを示す平面図である。図７に示すように、読書確認ラベル４６〜５０は、読み聞かせ、交代読み、音読や黙読を選択したり、読書の仕方に合わせてそれぞれ専用に使用したりすることができる。また、賞状ラベル５１〜５４は、読書回数や読み終えた本の冊数を記入することができる。たとえば、読書確認ラベル４６を１０枚貼るごとに、賞状ラベル５４を使用すると、読んだ本の冊数を確認するためのしおりとして使用することができる。また、自由記入ラベル５５は、完全に無色のラベルである。
【００６２】
図８に示すように、感想文記入ラベル５６〜５９は、それぞれ異なる大きさに形成され、宛名や差出人、または見出しを記入することができる。
また、感想文記入ラベル６０、６１は、記入欄の縦３段、横２列を覆う大きさに形成され、原稿用紙と同様に、縦書き用または横書き用の罫線がそれぞれ記入されている。
【００６３】
なお、本発明は、前記実施の形態に限定されるものではなく、ラベルは、４以上の記入欄を覆うように形成することも可能である。また、縦および横に２ずつ並んだ記入欄を覆う矩形のラベルを形成することも可能である。また、横に並んだ記入欄を覆う形状のラベルを形成してもよい。このようにして、レイアウトの自由度を向上させることができる。
【産業上の利用可能性】
【００６４】
本発明は、ノートの空欄を詰めて記載でき、また、記入内容に応じて自由な大きさのレイアウト枠を形成することができ、また、記入した内容が、各ラベルごとに、シート上に分離して配置され、非常に見やすくなるので、例えば、読書ノートまたは日記帳として用いられるノートセットとして有用である。
【図面の簡単な説明】
【００６５】
【図１】第１の実施の形態のノートセットの使用状態を示す平面図である。
【図２】ラベルおよびラベル収納部を示す平面図である。
【図３】他の種類のラベルを示す平面図である。
【図４】日記ラベルおよび自由記入ラベルの平面図である。
【図５】第２の実施の形態のノートセットのシートを示す平面図である。
【図６】第３の実施の形態のノートセットのシートを示す平面図である。
【図７】他の実施の形態のノートセットのシートを示す平面図である。
【図８】他の実施の形態のノートセットのシートを示す平面図である。
【符号の説明】
【００６６】
１  ノートセット
２  シート
４  ラベル収納部
５  記入欄
６  読書確認ラベル
７  分割ライン
８  読書者記入部
９  確認者記入部
１０  書籍名記入部
１１  読書範囲記載部
１２  日付記入部
１３  イラスト記入欄
１４  自由記入ラベル
１５  表紙
１６  感想文記入ラベル
１７  宛名記入部
１８  差出人記入部
１９  日付記入部
２０  感想文記入ラベル
２１  感想文記入ラベル
２２  小見出し記入部
２３  宛名記入部
２４  感想文記入ラベル
２５  罫線
２６  感想文記入ラベル
２７  罫線
２８〜３０  日記ラベル
３０ａ  日記ラベル
３１〜３３  自由記入ラベル
３３ａ  自由記入ラベル
３４  日付記入部
３５〜３７  外枠
３７ａ  外枠
３８  シート
３９  記入欄
４０  書籍名記入部
４１  読書者記入部
４２  確認者記入部
４３  読書確認部
４４  シート
４５  記入欄
４５ａ  罫線
４６〜５０  読書確認ラベル
５１〜５４  賞状ラベル
５５  自由記入ラベル
５６  〜６１  感想文記入ラベル
【図１】
2005028765.tif 000003
【図２】
2005028765.tif 000004
【図３】
2005028765.tif 000005
【図４】
2005028765.tif 000006
【図５】
2005028765.tif 000007
【図６】
2005028765.tif 000008
【図７】
2005028765.tif 000009
【図８】
2005028765.tif 000010